(57)【要約】【課題】表示装置の操作性の向上を実現することを目的とする。【解決手段】本発明の表示装置１ａは、複数のパネルを有するパネルセット４を備え、前記パネルセットは、ソフトウェアキーボードＫを画像として表示する表示パネル１０と、タッチセンサーと、を有し、前記パネルセットの最表面４ａのうち、前記ソフトウェアキーボードが前記画像として表示される領域に少なくとも一以上の凹部が形成されている、ことを特徴とする。【選択図】図３
2015073179.tif 000002
【特許請求の範囲】
【請求項１】
複数のパネルを有するパネルセットを備え、
前記パネルセットは、
画像を表示する表示パネルと、
タッチセンサーと、を有し、
前記パネルセットの最表面のうち、前記画像が表示される領域に少なくとも一以上の凹部が形成されている、
ことを特徴とする表示装置。
【請求項２】
請求項１に記載の表示装置において、
前記表示パネルはソフトウェアキーボードを画像として表示し、
前記凹部は、前記ソフトウェアキーボードが前記画像として表示される領域で、且つ所定のキーに相当する位置に形成されていることを特徴とする表示装置。
【請求項３】
請求項１又は請求項２に記載の表示装置において、
前記凹部の底面に、平面視で前記凹部の内周の内側に位置する凸部が形成され、
前記底面から前記凸部の上端までの高さが、前記底面から前記最表面までの高さよりも低い、
ことを特徴とする表示装置。
【請求項４】
請求項３に記載の表示装置において、
前記凹部は、前記底面から前記最表面にかけて連続する曲面を有することを特徴とする表示装置。
【請求項５】
請求項１乃至請求項４のいずれか一項に記載の表示装置において、
前記ソフトウェアキーボードが、前記画像として表示される複数の指示入力ボタンを有し、
前記凹部が、前記指示入力ボタンが前記画像として表示される領域に形成されている、
ことを特徴とする表示装置。
【請求項６】
請求項１乃至請求項５のいずれか１項に記載の表示装置において、
前記凹部が少なくとも２以上形成されていることを特徴とする表示装置。
【請求項７】
請求項１乃至請求項６のいずれか１項に記載の表示装置において、
前記パネルセットが前記最表面側にフロントパネルを有し、
前記凹部の底面から前記最表面までの距離が、前記タッチパネルの厚さの半分以下であることを特徴とする表示装置。
【発明の詳細な説明】
【技術分野】
【０００１】
本発明は表示装置に関する。
【背景技術】
【０００２】
近年、指や専用のペン等が接触した位置を検出する表示装置が開発されている。このような表示装置は、例えば、タッチセンサー機能を有するタッチパネルが液晶表示パネルに貼付けられることにより構成されている。
【０００３】
このような表示装置としては、例えば特許文献１において、表示パネルの表示面にソフトウェアキーボードが画像として表示される表示装置が開示されている。このような表示装置においては、ユーザがタッチパネルの表面のうち、ソフトウェアキーボードの表示された領域に接触することにより、ユーザの指示が表示装置に入力される。また、特許文献２には、指示入力用の入力部を有する入力装置が開示されている。入力部にはタッチセンサーの検出領域が設けられており、この検出領域には、凹凸形状からなる触覚部が形成されている。
【先行技術文献】
【特許文献】
【０００４】
【特許文献１】特開２００９−１２２８９０号公報
【特許文献２】特開２００６−２９３９４５号公報
【発明の概要】
【発明が解決しようとする課題】
【０００５】
特許文献１に記載の表示装置においては、ユーザが表示装置に文字を入力する際に、表示面に表示されたソフトウェアキーボードを目視により逐一確認する必要がある。また、特許文献２に記載の表示装置においては、表示面とは別途、ユーザの指示入力用に入力部領域を確保する必要がある。
【０００６】
本発明は、このような事情に鑑みてなされたものであって、表示装置の操作性の向上を実現することを目的とする。
【課題を解決するための手段】
【０００７】
（１）本発明の表示装置は、複数のパネルを有するパネルセットを備え、前記パネルセットは、画像を表示する表示パネルと、タッチセンサーと、を有し、前記パネルセットの最表面のうち、前記画像が表示される領域に少なくとも一以上の凹部が形成されている、ことを特徴とする。
【０００８】
（２）本発明の表示装置は、（１）において、前記表示パネルはソフトウェアキーボードを画像として表示し、前記凹部は、前記ソフトウェアキーボードが前記画像として表示される領域で、且つ所定のキーに相当する位置に形成されていてもよい。
【０００９】
（３）本発明の表示装置は、（１）または（２）において、前記凹部の底面に、平面視で前記凹部の内周の内側に位置する凸部が形成され、前記底面から前記凸部の上端までの高さが、前記底面から前記最表面までの高さよりも低くていてもよい。
【００１０】
（４）本発明の表示装置は、（３）において、前記凹部は、前記底面から前記最表面にかけて連続する曲面を有していてもよい。
【００１１】
（５）本発明の表示装置は、（１）乃至（４）のいずれか１項において、前記ソフトウェアキーボードが、前記画像として表示される複数の指示入力ボタンを有し、前記凹部が、前記指示入力ボタンが前記画像として表示される領域に形成されていてもよい。
【００１２】
（６）本発明の表示装置は、（１）乃至（５）のいずれか１項において、前記凹部が少なくとも２以上形成されていてもよい。
【００１３】
（７）本発明の表示装置は、（１）乃至（６）のいずれか１項において、前記パネルセットが前記最表面側にフロントパネルを有し、前記凹部の底面から前記最表面までの距離が、前記タッチパネルの厚さの半分以下であってもよい。
【発明の効果】
【００１４】
本発明における表示装置によればユーザは、画像として表示されたソフトウェアキーボードを視認することなく操作することができる。このため、表示装置の操作性の向上を実現することができる。
【図面の簡単な説明】
【００１５】
【図１】図１は本発明の第１の実施形態に係る表示装置の概略平面図である。
【図２】図２は図１に示す表示装置のＩＩ−ＩＩ切断線における概略断面図である。
【図３】図３は図１に示す表示装置にソフトウェアキーボードを表示させた状態を示す概略平面図である。
【図４】図４は図１に示す表示装置の角度を変えてソフトウェアキーボードを表示させた状態を示す概略平面図である。
【図５】図５は図１に示す表示装置のＶ領域における部分拡大図である。
【図６】図６は図５に示すＶＩ―ＶＩ切断線における概略断面図である。
【図７】図７は本発明の変形例に係る表示装置を図２と同様の視野において示す概略断面図である。
【発明を実施するための形態】
【００１６】
以下、本発明の第１の実施形態に係る表示装置１ａについて図面に基づいて説明する。なお、以下の説明において参照する図面は、特徴をわかりやすくするために便宜上特徴となる部分を拡大して示している場合があり、各構成要素の寸法比率などは実際と同じであるとは限らない。また、以下の説明において例示される材料等は一例であって、各構成要素はそれらと異なっていてもよく、その要旨を変更しない範囲で変更して実施することが可能である。
【００１７】
図１は本発明の第１の実施形態に係る表示装置１ａの概略平面図であり、図２は図１に示す表示装置１ａのＩＩ−ＩＩ切断線における概略断面図である。本実施形態に係る表示装置１ａは、バックライト８と、パネルセット４と、ＩＣチップ（Integrated Circuit）３と、第１、第２のフレキシブル配線基板２ａ、２ｂと、を有している。
【００１８】
バックライト８はパネルセット４に光を照射するための部材である。バックライト８は、例えばフレーム２４と、光学シート２６と、導光板２８と、反射シート２９と、を有している。フレーム２４は、パネルセット４を支持するための枠状の部材であり、例えばモールド成形された樹脂からなる。また、フレーム２４は図示しない接着層によりパネルセット４に固定されている。
【００１９】
フレーム２４の内部には、図示しない発光素子が収納される。また、フレーム２４の内側には、光学シート２６と、導光板２８が収納される。導光板２８の下面は反射シート２９により覆われており、導光板２８に入射する光をパネルセット４側に出射させる。
【００２０】
パネルセット４は、ソフトウェアキーボードを画像として表示させるための、複数のパネルを有する部材である。パネルセット４は例えば表示パネル１０と、タッチパネル２０と、フロントパネル２３と、を有している。パネルセット４はバックライト８に固定されることにより、その下面が支持されている。パネルセットの最表面４ａ（フロントパネル２３の上面２３ａ）は、画像が表示される領域である表示領域Ｄと、画像の表示されない領域である非表示領域Ｅに区画されている。
【００２１】
表示パネル１０は、ソフトウェアキーボードを画像として表示するための部材である。表示パネル１０は例えば液晶表示パネルであり、図２に示すように、第１基板１２と、第２基板１４と、下偏光板１６と、上偏光板１８とを有している。第１基板１２は、例えばＴＦＴ（Thin Film Transistor）基板であり、表示領域Ｄに対応する領域内に図示しない薄膜トランジスタが形成されている。第２基板１４は、例えば図示しないカラーフィルタを有するカラーフィルタ基板である。カラーフィルタ基板を第２基板１４として用いることにより、表示装置１ａはカラー表示を可能とする。
【００２２】
第１基板１２と第２基板１４の間には、図示しない液晶が封止されている。また、第１基板１２下には例えばＵＶ硬化樹脂や両面テープなどの図示しない接着層により下偏光板１６が貼り付けられ、第２基板１４上には上偏光板１８が貼り付けられている。
【００２３】
図２に示すように、第１基板１２の一部分は第２基板１４と重なり合わずに一方向に突出する。この一部分の上面１２ａには、例えば第１のフレキシブル配線基板２ａとＩＣチップ３が設けられている。
【００２４】
ＩＣチップ３は、表示装置１ａの外部から第１のフレキシブル配線基板２ａを介して画像データが供給されるＩＣ（Integrated Circuit）である。また、ＩＣチップ３は、第１基板１２の非表示領域Ｅに対応する領域に形成された図示しない配線によって、表示領域Ｄ内の薄膜トランジスタに接続されている。
【００２５】
タッチパネル２０は、表示装置１ａの外部からのユーザの接触を感知する、タッチセンサー機能を有するパネルである。タッチパネル２０は、透光性を有する第１粘着層１９を介して表示パネル１０上に配置されている。このような構成を有することにより、表示面４ａへのユーザの接触がタッチパネル２０のタッチセンサー機能により感知される。
【００２６】
タッチパネル２０の上面２０ａのうち、非表示領域Ｅに対応する領域には、第２のフレキシブル配線基板２ｂが設けられている。タッチパネルが感知したユーザによる接触に係る情報は、第２のフレキシブル配線基板２ｂによって外部の機器に送信される。
【００２７】
本実施形態におけるフロントパネル２３は、パネルセット４を構成する複数の基板のうち、最表面側に配置された基板である。フロントパネル２３の材料としては、透光性を有し、かつ、後述する凹部３０の形状を維持可能なだけの硬度を有するものであれば特に限定されない。このようなフロントパネル２３としては、具体的には例えば強化ガラスを用いることができる。
【００２８】
フロントパネル２３は、透光性を有する第２粘着層２２によりタッチパネル２０の上面２０ａに固定されている。このような構成を有することにより、表示パネル１０によって表示された画像は、フロントパネル２３の上面２３ａ（表示面４ａ）に表示される。
【００２９】
図１に示すように、表示面４ａには、例えば、Ｘ方向に隣接する２つの凹部３０と、Ｙ方向に隣接する２つの凹部３０との計４つの凹部３０が形成されている。凹部３０は、ユーザが表示面４ａ上における指の位置を認識可能とするために設けられている。
【００３０】
次いで、凹部３０の配置について説明する。図３は図１に示す表示装置１ａにソフトウェアキーボードＫを表示させた状態を示す概略平面図である。本実施形態におけるソフトウェアキーボードＫとは、表示装置１ａの外部から入力される信号に従って、指示入力領域として液晶表示パネル１０に表示された画像である。図３においては、ソフトウェアキーボードＫが、表示領域Ｄの外周の短辺である第１辺Ｓ１に沿って表示された例を示す。この第１辺Ｓ１に沿って表示されたソフトウェアキーボードＫを、第１のソフトウェアキーボードＫ１とする。
【００３１】
本実施形態におけるソフトウェアキーボードＫは、画像として表示される複数の指示入力ボタンＢを有している。第１のソフトウェアキーボードＫ１における指示入力ボタンＢを第１の指示入力ボタンＢ１とする。タッチセンサー機能は、第１の指示入力ボタンＢ１がユーザに触れられることにより、その接触箇所を感知する。
【００３２】
第１のソフトウェアキーボードＫ１においては、例えばＡからＺまでの英字入力用の各指示入力ボタンＢが、それぞれ第１の指示入力ボタンＢ１として表示される。第１の指示入力ボタンＢ１は例えばＱＷＥＲＴＹ配列で配置される。なお、指示入力ボタンＢは、英字入力用のみならず、カタカナや、ひらがな、またはその他の言語や数字の入力用であってもよい。また、その配列については、任意の配列を選択することができる。
【００３３】
表示面４ａのうち、第１のソフトウェアキーボードＫ１が表示される領域においては、少なくとも１以上の凹部３０が形成されている。本実施形態における表示装置１ａは、このような構成を有することにより、表示装置１ａを操作するユーザが表示面４ａを触れた際に、触覚により凹部３０の位置を認識することができる。このため、ユーザは表示面４ａを視認することなく第１のソフトウェアキーボードＫ１における指の位置を認識することができる。これにより、表示装置１ａの操作性の向上を実現することができる。
【００３４】
なお、ユーザが両手で表示装置１ａに指示を入力することが想定される場合には、ユーザの左右の手がそれぞれ置かれる箇所に合わせ、２以上の凹部３０が形成されていることが好ましい。本実施形態における表示装置１ａにこのような構成が設けられていることにより、ユーザは複数の凹部３０それぞれの位置を両手で認識することができる。このため、凹部３０が１箇所のみに形成されている表示装置と比べて、ユーザが第１のソフトウェアキーボードＫ１上における指の位置を認識しやすい。
【００３５】
また、第１のソフトウェアキーボードＫ１内における凹部３０の形成箇所は、第１の指示入力ボタンＢ１の位置に対応していることが好ましい。本実施形態における表示装置１ａがこのような構成を有することにより、ユーザは第１のソフトウェアキーボードＫ１における第１の指示入力ボタンＢ１の位置を認識することができる。このため、本構成を有さない表示装置と比べて、ユーザは表示面４ａを視認することなく、第１のソフトウェアキーボードＫ１へ指示を入力しやすくなる。
【００３６】
凹部３０は、具体的には例えば、図３に示すように第１の指示入力ボタンＢ１がＱＷＥＲＴＹ配列で配置される場合、英字のＦとＪに対応する箇所にそれぞれ１つずつ形成される。
【００３７】
なお、ソフトウェアキーボードＫが画像として表示される領域は、１つに限らず、２以上であってもよい。図４は図１に示す表示装置１ａの角度を変えてソフトウェアキーボードＫを表示させた状態を示す概略平面図である。本実施形態におけるソフトウェアキーボードＫは、例えば表示装置１ａの傾きにより、異なる領域に表示される。図４においては、表示領域Ｄの外周の長辺である第２辺Ｓ２に沿ってソフトウェアキーボードＫが表示されている。
【００３８】
このように第２辺Ｓ２に沿って表示されるソフトウェアキーボードＫを第２のソフトウェアキーボードＫ２とする。また、第２のソフトウェアキーボードＫ２において表示される指示入力ボタンＢを第２の指示入力ボタンＢ２とする。表示面４ａにおいては、例えば２つの凹部３０が、第２のソフトウェアキーボードＫ２に対応する箇所に形成されている。
【００３９】
第２のソフトウェアキーボードＫ２上における凹部３０は、ユーザの左右の手がそれぞれ置かれる箇所に合わせて２以上形成されていることが好ましく、第２の指示入力ボタンＢ２に対応した箇所に形成されていることが特に好ましい。具体的には例えば、凹部３０は、図４に示すように、第２の指示入力ボタンＢ２のうち英字のＦとＪに対応する箇所にそれぞれ形成されている。
【００４０】
なお、本実施形態においては、第１、第２の指示入力ボタンＢ１、Ｂ２がＱＷＥＲＴＹ配列で配置される例について説明したが、第１、２の指示入力ボタンＢ１、Ｂ２がその他の配列で配置される場合は、その配列と、ユーザの左右の手がそれぞれ置かれる箇所に合わせて凹部３０の箇所を適宜設定すればよい。
【００４１】
また、本実施形態においては、ソフトウェアキーボードＫが第１、第２のソフトウェアキーボードＫ１、Ｋ２として２つの領域に表示される例について説明したが、ソフトウェアキーボードＫが画像として表示される領域は３箇所以上であってもよい。この場合には、それぞれの領域に凹部３０が形成されていることが好ましい。
【００４２】
次いで、凹部３０の構成について詳細に説明する。図５は図１に示す表示装置１ａのＶ領域における部分拡大図であり、図６は図５に示すＶＩ―ＶＩ切断線における概略断面図である。
【００４３】
図５に示すように、凹部３０の平面視形状は円形であることが好ましいが、長円形状など、その他の形状であってもよい。凹部３０の平面視形状において、最も幅の大きい箇所の直径を直径ｄ１とすると、直径ｄ１は３ｍｍ以上あることが好ましい。なお、直径ｄ１の大きさは特に限定されず、ユーザが指で触れて認識可能な大きさであれば、その値は特に制限されない。
【００４４】
また、図６に示すように、フロントパネル２３の厚さを、表示パネル１０側の面である下面２３ｂから表示面４ａ（上面２３ａ）までの距離ｄ２とすると、凹部３０の底面３０ａから表示面４ａまでの距離ｄ３は、距離ｄ２の半分以下であることが好ましい。本実施形態の表示装置１ａはこのような構成を有することにより、本構成を有さない表示装置と比べ、凹部３０の底面３０ａから、フロントパネル２３の下面２３ｂまでの厚さが保たれる。このため、フロントパネル２３の強度を保つことができる。
【００４５】
また、凹部３０は、その底面３０ａから表示面４ａにかけて、連続する曲面３０ｃを有することが好ましい。具体的には、凹部３０と表示面４ａの境界を内周３０ｂとすると、底面３０ａのうち、最も下面２３ｂに近い箇所から内周３０ｂにかけて連続する面が、曲面となるように形成されている。本実施形態の表示装置１ａはこのような構成を有することにより、本構成を有さない表示装置と比べて、表示面４ａにおいて反射する光の反射方向と、凹部３０内において反射する光の反射方向とのずれが抑えられる。このため、表示面４ａの視認性の低下を防ぐことができる。
【００４６】
凹部３０の底面３０ａには、平面視で凹部３０の内周３０ｂの内側に位置する凸部３１が形成されていることが好ましい。凸部３１は、ユーザが凹部３０の位置を認識しやすくするために凹部３０内に設けられた凸状の部分である。凸部３１は、凹部３０の底面３０ａの一部が表示面４ａ側に盛り上がることにより構成されている。凸部３１は、その中心３１ｃの位置が平面視で凹部３０の中心に近いほど好ましい。
【００４７】
本実施形態における表示装置１ａにこのような構成が設けられていることにより、ユーザが凹部３０に触れた際に、凸部３１の上端３１ａもユーザに接触する。このため、本構成を有さない表示装置と比べて、凹部３０の位置がユーザに認識されやすくなる。これにより、ユーザは表示面４ａを視認することなく、ソフトウェアキーボードＫへの指示を入力しやすくなる。
【００４８】
また、凹部３０の底面３０ａから凸部３１の上端３１ａまでの距離ｄ４は、底面３０ａから表示面４ａまでの距離ｄ３よりも小さいことが好ましい。距離ｄ４の長さは、距離ｄ３よりも短ければ特に限定されず、ユーザが触覚により認識可能な程度の長さを有すればよい。本実施形態における表示装置１ａはこのような構成を有することにより、表示装置１ａの外部から表示面４ａに圧力が加わっても、凸部３１への圧力の集中が防がれる。このため、距離ｄ４が距離ｄ３よりも長い表示装置と比べ、圧力の集中による凸部３１の破損が防がれる。
【００４９】
以上、本発明の実施形態を説明してきたが、本発明は、上述した実施形態には限られない。例えば、上述した実施形態で説明した構成は、実質的に同一の構成、同一の作用効果を奏する構成、又は同一の目的を達成することができる構成により置き換えてもよい。
【００５０】
例えば、表示パネル１０は画像が表示されるパネルであれば、有機エレクトロルミネッセンスパネルなど、その他のパネルであってもよい。また、パネルセット４を構成するいずれかの基板がタッチセンサー機能を有するのであれば、パネルセット４は、タッチパネルを有する構成に限定されない。
【００５１】
図７は本発明の変形例に係る表示装置１ｂを図２と同様の視野において示す概略断面図である。具体的には例えば、表示装置１ｂのパネルセット４は、タッチセンサー機能を有するインセル型の表示パネル１０と、フロントパネル２３とから構成されていてもよい。このような構成を有することにより、タッチパネルを有する表示装置と比べ、表示装置１ｂの薄型化を実現することができる。
【符号の説明】
【００５２】
１ａ,１ｂ  表示装置、２ａ  第１のフレキシブル配線基板、２ｂ  第２のフレキシブル配線基板、３  ＩＣチップ、４  パネルセット、４ａ  表示面、８  バックライト、１０  表示パネル、１２  第１基板、１２ａ  上面、１４  第２基板、１８  上偏光板、１９  第１粘着層、２０  タッチパネル、２０ａ  上面、２２  第２粘着層、２３  フロントパネル、２３ａ  上面、３０  凹部、３０ａ  底面、３０ｂ  境界、３０ｃ  曲面、３１  凸部、３１ａ  上端、Ｂ  指示入力ボタン、Ｂ１  第１の指示入力ボタン、Ｂ２  第２の指示入力ボタン、Ｄ  表示領域、Ｅ  非表示領域、ｄ１  直径,ｄ２,ｄ３,ｄ４  高さ、Ｋ１  第１のソフトウェアキーボード、Ｋ２  第２のソフトウェアキーボード、Ｓ１  第１辺、Ｓ２  第２辺。
【図１】
2015073179.tif 000003
【図２】
2015073179.tif 000004
【図３】
2015073179.tif 000005
【図４】
2015073179.tif 000006
【図５】
2015073179.tif 000007
【図６】
2015073179.tif 000008
【図７】
2015073179.tif 000009